【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
公共配電網を経由して伝搬する交流(AC)電力波形上でデータを送信元から宛先に転送するコンピュータ実装方法であって、前記コンピュータは、前記公共配電網に電源を介して動作可能に結合されたプロセッサを含み、方法は、
前記公共配電網を経由して要求を送信し、前記公共配電網上の前記送信元と前記宛先の間に仮想通信チャネルを設けるステップと、
前記仮想通信チャネルを介して前記送信元から前記宛先に送信されるべきデータパケットを前記プロセッサによって生成するステップと、
前記電源から得られる電力を変調し、前記仮想通信チャネルに一意である周波数の関数に従って所定の間隔で前記AC電力上へ一連のスタティックパルスを符号化するステップと
を含む方法。
【請求項２】
各スタティックパルスは約0.00125ボルトの大きさを有する、請求項1に記載のコンピュータ実装方法。
【請求項３】
前記関数は
【数１】
2015537480.tif 000001
である、請求項1に記載のコンピュータ実装方法。
【請求項４】
前記データパケットは受信側のアドレスを含み、前記アドレスは、前記電源に関連付けられた識別番号、前記コンピュータの基本入出力システム(BIOS)に関連付けられた識別番号、前記送信側から前記受信側に送信される第1のpingのクロックタイム、前記コンピュータのリアルタイムクロックからのクロックタイム値、前記プロセッサの速度、ランダム関数、および入出力誤差時間のうちの少なくとも1つを含む、請求項1に記載のコンピュータ実装方法。
【請求項５】
前記スタティックパルスの各々は、前記データパケット中の個々のデータビットに対応する論理状態の変化を表す、請求項1に記載のコンピュータ実装方法。
【請求項６】
前記送信側に関連付けられた一意のアドレスを前記プロセッサによって生成するステップと、
前記電源を変調し、前記公共配電網を経由して一連のpingを転送するために前記AC電力波形上へ一連のスタティックパルスを符号化するステップであって、前記一連のスタティックパルスは、前記一意のアドレスを用いた前記一連のpingの符号化に対応する、符号化するステップと、
受信側のアドレスを含めて、肯定応答信号を前記受信側から受信するステップと、
前記受信側の前記アドレスに基づいて前記仮想通信チャネルを設けるステップと
をさらに含む、請求項1に記載のコンピュータ実装方法。
【請求項７】
公共配電系統を経由して伝搬する交流(AC)電力波形上でデータを送信元から宛先に転送するコンピュータ実装方法であって、前記コンピュータは、分岐した公共配電系統に電源を介して動作可能に結合されたプロセッサを含み、方法は、
前記プロセッサによって仮想通信チャネルを介して、および前記プロセッサと前記電源の間に結合されたインタフェースを介して、データ通信の要求を受信するステップと、
前記要求に肯定応答するステップと、
前記仮想通信チャネルに一意の周波数の関数に従って所定の間隔で前記AC電力上において符号化されたデータを受信するステップと、
前記関数に基づいてデータパケットを前記プロセッサによって復号するステップと
を含む方法。
【請求項８】
各スタティックパルスは約0.00125ボルトの大きさを有する、請求項7に記載のコンピュータ実装方法。
【請求項９】
前記関数は
【数２】
2015537480.tif 000002
の逆である、請求項7に記載のコンピュータ実装方法。
【請求項１０】
前記データパケットは前記受信側のアドレスを含み、前記アドレスは、前記電源に関連付けられた識別番号、前記送信側コンピュータの基本入出力システム(BIOS)に関連付けられた識別番号、前記送信側から前記受信側に送信される第1のpingのクロックタイム、送信側コンピュータのリアルタイムクロックからのクロックタイム値、送信側プロセッサの速度、ランダム関数、および入出力誤差時間のうちの少なくとも1つを含む、請求項7に記載のコンピュータ実装方法。
【請求項１１】
スタティックパルスの各々は、前記データパケット中の個々のデータビットに対応する論理状態の変化を表す、請求項7に記載のコンピュータ実装方法。
【請求項１２】
一連のpingの符号化に対応する一連のスタティックパルス、前記AC電力波形上での一連のスタティックパルスを、前記プロセッサと前記電源の間に結合された前記インタフェースを介して前記プロセッサによって受信するステップであって、前記一連のスタティックパルスは前記一連のpingの符号化および一意のアドレスに対応する、受信するステップと、
前記一意のアドレスに基づいて前記仮想通信チャネルを設けるステップと
をさらに含む、請求項7に記載のコンピュータ実装方法。
【請求項１３】
コンピュータによる実行時に、前記コンピュータに
配電網を経由して要求を送信し、前記配電網上の送信元と宛先の間に仮想通信チャネルを設けさせ、
前記仮想通信チャネルによって前記送信元から前記宛先に送信されるべきデータパケットを生成させ、
電源から得られたAC電力を変調し、前記仮想通信チャネルに一意である周波数の関数に従って所定の間隔で前記AC電力上へ一連のスタティックパルスを符号化させる
コンピュータ実行可能命令を格納させた非一時的なコンピュータ可読媒体。
【請求項１４】
各スタティックパルスは約0.00125ボルトの大きさを有する、請求項13に記載のコンピュータ可読媒体。
【請求項１５】
前記関数は
【数３】
2015537480.tif 000003
である、請求項13に記載のコンピュータ可読媒体。
【請求項１６】
前記データパケットは受信側のアドレスを含み、前記アドレスは、前記電源に関連付けられた識別番号、前記コンピュータの基本入出力システム(BIOS)に関連付けられた識別番号、前記送信側から前記受信側に送信される第1のpingのクロックタイム、前記コンピュータのリアルタイムクロックからのクロックタイム値、プロセッサの速度、ランダム関数、および入出力誤差時間のうちの少なくとも1つを含む、請求項13に記載のコンピュータ可読媒体。
【請求項１７】
前記スタティックパルスの各々は、前記データパケット中の個々のデータビットに対応する論理状態の変化を表す、請求項13に記載のコンピュータ可読媒体。
【請求項１８】
コンピュータによる実行時に、前記コンピュータに
前記送信側に関連付けられた一意のアドレスを生成させ、
前記電源を変調させ、公共配電系統を経由して一連のpingを転送するために前記AC電力波形上へ一連のスタティックパルスを符号化させ、前記一連のスタティックパルスは、前記一意のアドレスを用いた前記一連のpingの符号化に対応し、
受信側のアドレスを含めて、肯定応答信号を前記受信側から受信させ、
前記受信側の前記アドレスに基づいて前記仮想通信接続を設けさせる
コンピュータ実行可能命令をさらに備える、請求項13に記載のコンピュータ可読媒体。
【請求項１９】
コンピュータによる実行時に、前記コンピュータに
仮想通信チャネルを介して、および前記コンピュータのプロセッサと前記コンピュータの電源の間に結合されたインタフェースを介して、データ通信の要求を受信させ、
前記要求に肯定応答させ、
前記仮想通信チャネルに一意の周波数の関数に従って所定の間隔で符号化されたデータを受信させ、
前記関数に基づいてデータパケットを復号させる
コンピュータ実行可能命令を格納させた非一時的なコンピュータ可読媒体。
【請求項２０】
各スタティックパルスは約0.00125ボルトの大きさを有する、請求項19に記載のコンピュータ可読媒体。
【請求項２１】
前記関数は
【数４】
2015537480.tif 000004
の逆である、請求項19に記載のコンピュータ可読媒体。
【請求項２２】
前記データパケットは前記受信側のアドレスを含み、前記アドレスは、送信側の前記電源に関連付けられた識別番号、前記送信側コンピュータの基本入出力システム(BIOS)に関連付けられた識別番号、前記送信側から前記受信側に送信される第1のpingのクロックタイム、前記送信側コンピュータのリアルタイムクロックからのクロックタイム値、送信側プロセッサの速度、ランダム関数、および入出力誤差時間のうちの少なくとも1つを含む、請求項19に記載のコンピュータ可読媒体。
【請求項２３】
スタティックパルスの各々は、前記データパケット中の個々のデータビットに対応する論理状態の変化を表す、請求項19に記載のコンピュータ可読媒体。
【請求項２４】
コンピュータによる実行時に、前記コンピュータに
一連のpingの符号化に対応する一連のスタティックパルス、前記AC電力波形上での一連のスタティックパルスを、前記プロセッサと前記電源の間に結合された前記インタフェースを介して前記プロセッサによって受信させ、前記一連のスタティックパルスは前記一連のpingの符号化および一意のアドレスに対応し、
前記一意のアドレスに基づいて前記仮想通信チャネルを確立させる
コンピュータ実行可能命令をさらに含む、請求項19に記載のコンピュータ可読媒体。
【請求項２５】
前記電力は、前記一連のスタティックパルスを符号化するために前記コンピュータの前記電源から得られる、請求項1に記載のコンピュータ実装方法。
【請求項２６】
前記データ通信の前記要求は、前記送信元または前記宛先から受信される、請求項7に記載のコンピュータ実装方法。
【請求項２７】
前記仮想通信チャネルは、前記送信元または前記宛先に関連付けられた一意のアドレスで通信するための前記AC電力波形上で一連のスタティックパルスを符号化するために前記コンピュータの前記電源を変調することによって設けられる、請求項7に記載のコンピュータ実装方法。
【請求項２８】
前記電力は、前記一連のスタティックパルスを符号化するために前記コンピュータの前記電源から得られる、請求項13に記載のコンピュータ可読媒体。
【請求項２９】
前記データ通信の前記要求は、送信元または宛先から受信される、請求項19に記載のコンピュータ可読媒体。
【請求項３０】
前記仮想通信チャネルは、送信元または宛先に関連付けられた一意のアドレスで通信するためのAC電力波形上で一連のスタティックパルスを符号化するために前記コンピュータの前記電源を変調することによって設けられる、請求項19に記載のコンピュータ可読媒体。